(57)【要約】      （修正有）【課題】メガネまたはゴーグルのレンズ表面にキズや汚れが生じたとき、レンズを交換すること無く、新品と同様の透明度に回復させる使い捨て透明フィルム付きメガネまたはゴーグルを提供する。【解決手段】メガネまたはゴーグル１に装着されたレンズ２の、顔面に対して反対側表面および必要な場合には顔面側表面の、面全体もしくは円周上または当該レンズ２を囲む形で設けられたフレーム３上に、メガネまたはゴーグル１を掛けた本人が軽い力で引き剥がせる程度の接着力で、主に智４の手前側に設けた引き剥がし用つまみ５を有する複数枚の透明なフィルム６を重ねて貼り付ける。【選択図】図２
0003178509.tif 000002
【実用新案登録請求の範囲】
【請求項１】
視力を矯正したり、目を飛散物から保護したりするために目を覆う形でメガネまたはゴーグルに装着されるレンズの、顔面に対して反対側表面および必要な場合には顔面側表面の、面全体もしくは円周上または当該レンズを囲む形で設けられたフレーム上に、当該メガネまたは当該ゴーグルを装着した本人が軽い力で引き剥がせる程度の接着力で、汚れや細かいキズが付着した時に引き剥がすことを目的として、透明なフィルムを貼り付けることを特徴とする使い捨て透明フィルム付き眼鏡。
【請求項２】
前記透明フィルムをレンズ表面に、あらかじめ又は後付けで追加する形で、複数層重ねることを特徴とする請求項１に記載の使い捨て透明フィルム付き眼鏡。
【請求項３】
前記透明フィルムの円周部に、汚れや細かいキズが付着した時に引き剥がし易くするために、引き剥がし用つまみを設けることを特徴とする請求項１又は請求項２に記載の使い捨て透明フィルム付き眼鏡。
【考案の詳細な説明】
【技術分野】
【０００１】  本考案は、本体に取り付けられているレンズの、顔面に対し反対側の表面等に、複数枚の透明フィルムを、汚れや細かいキズが付着した時に引き剥がすことを目的として、重ねて貼り付けた使い捨て透明フィルム付きメガネまたはゴーグルに関する。
【背景技術】
【０００２】  ほこりなどで汚れたレンズ表面を布等で拭く場合、表面に付いた細かい砂等の硬い粒子もガラス表面を擦る形で移動するため、汚れを落とせてもキズが付いてしまう問題があった。また、レンズ表面に触れた指の皮脂汚れ、調理もしくは食事の時にレンズ表面にはねた油、または機械加工時にレンズ表面に付着した油等を布等で拭いて取り除こうとしても、逆に油分がレンズ表面に広がり、汚れの範囲を広げ、レンズの透明度（着色してある場合にはその視認性）を悪化させてしまう問題があった。【０００３】  そこで、このような問題を解決するため、汚れやキズ等の無い新しいレンズに取り替えることのできる構造が提案されていた（特許文献１、特許文献２参照）。
【特許文献１】  特許公開２００３−２６２８３４号公報
【特許文献２】  特許公開２００４−１０５２５３号公報
【考案の概要】
【考案が解決しようとする課題】
【０００４】  しかしながら、必要な時にその場でレンズを新しいものに交換するためには、予備のレンズおよび工具を常時携帯しておく必要がある。しかし、予備のレンズも時間の経過と共に温度変化や空気に晒されることにより劣化してしまう問題があった。【０００５】  また、予備のレンズおよび工具が手元に無い、または元々持っていない場合には、メガネまたはゴーグルを使用できなくなるため、予備のレンズおよび工具の用意が整うまで、注文した新しいレンズおよび工具が到着するまで、または専門店でのレンズ交換作業が完了するまでは、メガネまたはゴーグルが必要な行為、例えば、視力の矯正のためにメガネを使用している場合には自動車運転、または切粉や火花が飛ぶために目を保護する必要のある場合には機械加工等ができなくなるなどの不都合が生じるおそれがあった。【０００６】  本考案は、係る従来技術の課題を解決するために成されたものであり、レンズの交換無しに、ほこり、細かいキズ、油等の汚れを除去し、レンズの透明度（着色してある場合にはその視認性）を新品同様の状態に回復するメガネまたはゴーグルを提供することを目的とする。
【課題を解決するための手段】
【０００７】  即ち、本考案の使い捨て透明フィルム付きメガネは、視力を矯正したり、目を飛散物から保護したりなどするために目を覆う形でメガネまたはゴーグルに装着されるレンズの、顔面に対して反対側表面および必要な場合には顔面側表面の、面全体もしくは円周上または当該レンズを囲む形で設けられたフレーム上に、当該メガネまたは当該ゴーグルを装着した本人が軽い力で引き剥がせる程度の接着力で、汚れや細かいキズが付着した時に引き剥がすことを目的として、透明なフィルムを貼り付けることを特徴とする。【０００８】  また、請求項２の考案の使い捨て透明フィルム付きメガネは、上記に加えて、透明フィルムを、あらかじめ又は後で追加する形で複数枚重ねることを特徴とする。【０００９】  また、請求項３の考案の使い捨て透明フィルム付きメガネは、請求項１又は請求項２のうちいずれかの記載において、汚れや細かいキズが付着した時に引き剥がし易くするために、透明フィルムの円周部に引き剥がし用つまみを設けることを特徴とする。
【考案の効果】
【００１０】  本考案によれば、使い捨て透明フィルム付きメガネは、本体に取り付けられているレンズの、顔面に対し反対側の表面等に、装着した本人が軽い力で引き剥がせる程度の接着力で透明フィルムが貼り付けられているので、当該フィルムの表面にほこり等が付着したり、細かいキズが付いたり、油で汚れたりした時に、当該フィルムを剥がすことによって汚れやキズ等を除去し、レンズの透明度（着色してある場合にはその視認性）を新品同様の状態に回復することができる。これにより、布でレンズを拭く必要が無くなるので、レンズ表面に付着した細かい砂などの硬い粒子が擦れることによりレンズが傷つく、またはレンズを拭いているときに手の皮脂が付着して汚れるといったことを防ぐことができる。また、予備のレンズを用意する必要がないので、予備のレンズを紛失するおそれが無く、時間と場所を選ばずレンズの透明度（着色してある場合にはその視認性）を新品同様の状態に回復でき、さらに交換に必要なレンズを製作するコストおよび交換に掛かるコストを低減できる。【００１１】  また、請求項２の考案によれば、上記に加えて、複数枚の透明フィルムが重ねてレンズ表面に貼ってあるので、当該フィルムを１枚ずつ引き剥がすことにより、レンズの透明度（着色してある場合にはその視認性）を購入当初の新品の状態にまで回復させることが複数回可能となる。また、レンズ表面の透明フィルムが全て引き剥がされた、または残り枚数が少なくなったときに当該フィルムを適宜後付けすることにより、レンズの透明度（着色してある場合にはその視認性）を回復させる回数を増やすことができる。【００１２】  また、請求項３の考案によれば、請求項１又は請求項２のうちいずれかの記載において、透明フィルムの円周部に引き剥がし用つまみを設けるので、透明フィルムを引き剥がすために先端の尖った道具等を使用することによってレンズまたはフレームが損傷するといった問題を防ぐことができる。また、請求項２の記載において、透明フィルムの円周部に引き剥がし用つまみを設けることで、最も外側の透明フィルムから１枚ずつ引き剥がす際、誤って複数枚同時に引き剥がして、汚れていない透明フィルムを元の場所に貼り直すといった不便を防ぐことができる。
【図面の簡単な説明】
【００１３】
【図１】本考案の一実施例を示す使い捨て透明フィルム付きメガネの概略斜視図である。
【図２】本考案の使い捨て透明フィルム付きメガネの透明フィルムを引き剥がした時の状態を示す一部分斜視図である。
【図３】本考案の使い捨て透明フィルム付きメガネの透明フィルム表面が汚れているときの状態を示した概略斜視図である。
【図４】本考案の使い捨て透明フィルム付きメガネの汚れた透明フィルムを引き剥がしている時の状態を示す一部分斜視図である。
【考案を実施するための形態】
【００１４】  本考案は、使い捨て透明フィルム付きメガネの、布等でほこりなどを除去するためにレンズ表面を拭く際に、細かい砂などの硬い粒子が同時に移動して擦れることによってキズが生じたり、指が誤ってレンズ表面に触れることで、指の皮脂による油汚れが生じたりするなどしてレンズの透明度（着色してある場合にはその視認性）が悪化するのを防ぐため、レンズの顔面から反対側の表面の面全体もしくは円周上、またはフレーム上などに、ほこりや油等の汚れが付着したり、細かいキズが生じたりした時に引き剥がすことを目的として、１枚または複数枚重ねて透明フィルムを貼り付けることで実現した。
【実施例１】
【００１５】  次に、図面に基づき、本考案の実施の形態を詳述する。図１は、本考案の一実施例を示す使い捨て透明フィルム付きメガネの概略斜視図、図２は本考案の一実施例を示す使い捨て透明フィルム付きメガネの透明フィルムを引き剥がしている部分を示した一部分概略斜視図をそれぞれ示している。【００１６】  本実施形態による使い捨て透明フィルム付きメガネは、図１、図２に示すようにメガネ本体１のレンズ２の表面またはフレーム３に、汚れたときなどに引き剥がすことを目的に接着された透明フィルム６および智４の手前側に設けられた透明フィルム６を引き剥がす時に使用する引き剥がし用つまみ５で構成されている。なお、レンズ２の材質はガラスまたはプラスチックいずれでもよく、形状は左右レンズが別々に分かれているもの、一体となっているものいずれでもよい。【００１７】  そして、図３、図４に示すように、視力矯正のため、または屋外にて花粉の侵入を防止するために使用するメガネ１において、メガネ１を着脱する際に指の皮脂による油汚れ９が生じる、またはハンカチなどの布でほこりや花粉などの微細な付着物７を除去するためにレンズ２表面を拭く際に細かい砂などの硬い粒子が同時に移動して擦れることによってキズ８が生じるなどしたときに、引き剥がし用つまみ５を持って透明フィルム６を剥がすことにより、ほこりや花粉などの微細な付着物７、キズ８、油汚れ９などレンズの透明度（着色してある場合にはその視認性）を悪化させる原因が除去される。【００１８】  この透明フィルム６は、５枚〜１０枚程度重ねられており、全て引き剥がすか、透明フィルム６の残り枚数がわずかになったときに、レンズ２表面または最も外側に貼られた透明フィルム６の上に重ねる形で、追加の透明フィルム６を貼ることもできる。【００１９】  なお、透明フィルム６の円周部には、透明フィルム６を引き剥がしやすくするための引き剥がし用つまみ５が付いている。この引き剥がし用つまみ５は智４の手前側に設けることによって、外観上支障の無い状態にすることができる。また、透明フィルム６の形状をレンズ２表面と同じまたはレンズ２表面よりも若干広くした状態で、レンズ２円周上から内側に接着面をずらすことによって、その外側全体をつまみとすることもできる。
【実施例２】
【００２０】  上記とは別の実施例として、図３、図４に示すように、部品あるいは製品を製造する時に使用する安全メガネ１において、飛散した切粉による細かいキズ８、および機械油や塗料等の汚れ９がレンズ２表面に付いたとき、透明フィルム６を剥がすことによってレンズ２の透明度（着色してある場合にはその視認性）を新品同様に回復させることができる。これにより、布等で拭くことがないので、切粉で表面を擦ったり、機械油や塗料等を広げたりして、かえって透明度（着色してある場合にはその視認性）を悪化させる問題を防ぐことができる。【００２１】  この透明フィルム６は、複式跳ね上げメガネにおいて、前面のレンズのみならず後面のレンズに貼り付けてもよい。また、前面・後面両方のレンズの、顔面から反対側の表面のみならず顔面側の表面に透明フィルムを貼り付けてもよい。【００２２】  この透明フィルム６は、作業環境によっても異なるが、２０枚〜４０枚程度重ねられており、全て引き剥がすか、透明フィルム６の残り枚数がわずかになったときに、レンズ２表面または最も上部に貼られた透明フィルム６の上に重ねる形で、追加の透明フィルム６を貼ることもできる。【００２３】  なお、引き剥がし用つまみ５に関しては実施例１に記載したとおりである。【００２４】  なお、実施形態では使い捨て透明フィルム付きメガネ１および当該メガネ１を構成する部材の形状や材質などを記載しているが、使い捨て透明フィルム付きメガネ１および当該メガネ１を構成する部材は要旨を逸脱しない範囲内で使い捨て透明フィルム付きメガネ１および当該メガネ１を構成する部材の形状や材質を変更しても良いのは言うまでもない。勿論本考案は、上記実施例のみに限定されるものではなくこの考案の趣旨を逸脱しない範囲で他の様々な変更を行っても本考案は有効である。
【産業上の利用可能性】
【００２５】  以上詳述したように、本考案は、使い捨て透明フィルムを付けたメガネに係るものであり、透明フィルムに接着剤を付ける技術は、文具に代表される様に既に普及している。また、フィルム自体は薄く成形が容易で、安価なため既存の代替レンズ製作よりもコストを大幅に低減できる。また、メンテナンスに必要な作業は透明フィルムの着脱に限られるので、レンズ交換で現在使われている工具や技術を必要としない点で消費者にとっての利便性が高い。また、透明フィルムを捨てるときは、レンズよりも廃棄物としての体積および重量が少なくなるので環境への負荷も少ない。
【符号の説明】
【００２６】１  使い捨て透明フィルム付きメガネ
２  レンズ
３  フレーム
４  智
５  引き剥がし用つまみ
６  透明フィルム
７  ほこり
８  キズ
９  油汚れ
【図１】
0003178509.tif 000003
【図２】
0003178509.tif 000004
【図３】
0003178509.tif 000005
【図４】
0003178509.tif 000006